(57)【要約】【課題】昇降路のピットを浅くした上で、緩衡器は既存のものを流用し、衝突部材の形状並びに取り付け方を工夫することにより、衝突部材や昇降体の強化費用を増加させることなく、更に、衝突部材の取り付け作業の効率化を図ったエレベータ装置を提供する。【解決手段】かご２の両外側に配置する緩衝器１９と、緩衝器１９に取り付けられてかご２の異常下降時に緩衝器１９を動作させる衝突部材２４を備え、この衝突部材２４は、第１の刃部２４ａと第２の刃部２４ｂが形成され、第１の刃部２４ａが第２の刃部２４ｂを下方になるようにして緩衝器１９に取り付けられるＺ曲げ金具２１と、Ｚ曲げ金具２１の第２の刃部２４ｂ間を挿脱可能に繋ぐ中空角パイプからなる渡し梁で構成される。【選択図】図３
2009184782.tif 000002
【特許請求の範囲】
【請求項１】
昇降路の所定経路を昇降するかごと、前記かごの昇降経路外の前記昇降路の底面に立設された緩衝器と、前記緩衝器に取り付けられて前記かごの異常下降時に前記緩衝器を動作させる衝突部材と、を備えたエレベータ装置において、
前記衝突部材は、第１の刃部と第２の刃部が形成され、前記第１の刃部が前記第２の刃部を下方として前記それぞれの緩衝器に取り付けられるＺ曲げ金具と、前記Ｚ曲げ金具の前記第２の刃部間を挿脱可能に繋ぐ中空角パイプからなる渡し梁と、を備えたことを特徴とするエレベータ装置。
【請求項２】
前記渡し梁は中空角パイプで構成されたことを特徴とする請求項１に記載のエレベータ装置。
【請求項３】
前記渡し梁の前記かごとの衝突部に緩衝ゴムを取り付けたことを特徴とする請求項１又は請求項２に記載のエレベータ装置。
【請求項４】
前記渡し梁に前記緩衝ゴムの取り付け位置より端部に行くに従って高さが低くなるテーパ部を形成したことを特徴とする請求項３に記載のエレベータ装置。
【請求項５】
前記渡し梁は中央部が高く、端部に行くに従って低くなる形状であることを特徴とする請求項１から請求項３の何れかに記載のエレベータ装置。
【発明の詳細な説明】
【技術分野】
【０００１】
この発明は、異常発生時に所定位置を超えて昇降する昇降体の衝突を昇降路に設けられた緩衝器によって緩衝するエレベータ装置に関するものである。
【背景技術】
【０００２】
一般に、エレベータ装置においては、昇降路を容易に構築するために、昇降路の最下階の乗場から下方の深さ、即ち、ピットを浅くすることが好まれており、浅いピットに対して緩衝器が支障なく設置できることが好まれている。
【０００３】
従来のエレベータ装置においては、昇降路を昇降するかごの外側で、かごの下面よりも上方位置に衝突板を取り付けると共に、かごの異常下降時に衝突板に押圧されて動作する緩衝器を昇降路の底面に設けている。そして、その緩衝器は、昇降路の水平投影面におけるかごの重心位置を中心とする対象位置にそれぞれ配置されている（例えば、特許文献１参照）。
【０００４】
【特許文献１】特開２００１−１４６３７０号公報（要約の欄、図１）
【発明の開示】
【発明が解決しようとする課題】
【０００５】
前記特許文献１に開示されたエレベータ装置は、昇降路のピットを浅くすることは可能であるが、かごの異常下降時に緩衝器を動作させる衝突板をかごの外側に取り付けたものであり、更に、かごに作用する偏荷重を防止するため、水平投影面におけるかごの重心位置を中心とする対象位置に立設される緩衝器と対向する位置に衝突板を取り付けたものである。
【０００６】
このため、衝突板やかご枠は、かごの異常下降時に衝突板が緩衝器に衝突し、緩衝器を動作させるに十分な機械的強度を有することが必要であり、かつ、衝突板のかごへの取り付けも強固に行う必要があって、衝突板やかごの強化費用が増加することになる。また、衝突板を緩衝器の取り付け位置に対向させて取り付ける必要があり、両者の位置合わせ等の取り付け作業が煩わしいものとなる。
【０００７】
この発明は前記の問題点を解決するためになされたもので、昇降路のピットを浅くした上で、緩衡器は既存のものを流用し、衝突部材の形状並びに取り付け方を工夫することにより、衝突部材や昇降体の強化費用を増加させることなく、更に、衝突部材の取り付け作業の効率化を図ったエレベータ装置を提供するものである。
【課題を解決するための手段】
【０００８】
この発明に係るエレベータ装置は、昇降路の所定経路を昇降するかごと、かごの昇降経路外の昇降路の底面に立設された緩衝器と、緩衝器に取り付けられてかごの異常下降時に緩衝器を動作させる衝突部材とを備えたエレベータ装置において、衝突部材は、第１の刃部と第２の刃部が形成され、第１の刃部が第２の刃部を下方としてそれぞれの緩衝器に取り付けられるＺ曲げ金具と、Ｚ曲げ金具の第２の刃部間を挿脱可能に繋ぐ中空角パイプからなる渡し梁と、を備えたものである。
【発明の効果】
【０００９】
この発明によれば、昇降路のピットを浅くすると共に、かごの異常下降時に緩衝器を動作させる衝突部材やかご部材の強化費用を低減でき、更に、衝突部材の取り付けが容易となって作業効率の向上を図ることができる。
【発明を実施するための最良の形態】
【００１０】
以下、この発明に係るエレベータ装置の好適な実施の形態について図面を参照して説明する。なお、この実施の形態によってこの発明が限定されるものではない。
【００１１】
実施の形態１．
図１は実施の形態１に係るエレベータ装置の平面図、図２は図１に示すエレベータ装置のピット部分の正面図、図３は実施の形態１に係るエレベータ装置に適用される緩衡器、及びかごの異常下降時にかごと衝突する衝突部材を示す斜視図である。また、図４はかごの異常下降時にかごと衝突部材が衝突し、かごの底面と衝突部材との距離、所謂、ランバイ分と緩衡器のストローク分をかごが降下した状態のピット部分の正面図である。
【００１２】
これらの図において、昇降路１の所定経路を昇降するかご２の上部にはかご上梁３が設けられており、かご床４の下部にはかご下梁５が設けられている。また、かご２の両側面にはかご枠柱６，６が設けられており、かご２の正面にはかごの戸７が開閉可能に取り付けられている。
【００１３】
かご下梁５の両側下方にはガイドシュー８，８が取り付けられ、このガイドシュー８，８間におけるかご下梁５の下面に緩衝器当て板９，９が取り付けられている。なお、本実施の形態においては、緩衝器当て板９は２箇所に取り付けられているが、取り付け箇所は任意でよい。
【００１４】
昇降路１にはレールブラケット１０，１１が設けられており、このレールブラケット１０，１１を介してかごレール１２，１２がそれぞれ設置されている。かご枠柱６，６は、かごレール１２，１２をガイドとしてかご２を昇降させる。なお、かごレール１２，１２は、かご２の奥行き方向の中心に設置されており、昇降路１の底面に設置されたレール取り付け台１３の上に設置されている。
【００１５】
かご２と昇降路１の壁面１４との間には釣合おもり１５が昇降可能に設置されている。釣合おもり１５は、昇降路１の壁面１４に取り付けられたレールブラケット１６を介して設置された釣合おもリレール１７と、レールブラケット１１を介して設置された釣合おもリレール１７をガイドとして昇降する。
【００１６】
昇降路１の底面には緩衝器台板１８，１８を介してかご２の緩衝器１９，１９が立設されると共に、釣合おもり１５の緩衝器２０が立設され、かご２の緩衝器１９，１９は水平投影面におけるかご２の外側、即ち、かご２の昇降経路外であって、昇降路１の底面に設置されている。また、緩衝器１９，１９は、かご２の奥行き方向の中心にあるかごレール１２，１２と、かご枠柱６，６のそれぞれを避けるため、及び緩衝器１９，１９の動作時にかご２に偏荷重が作用しないように、水平投影面におけるかご２の重心位置に対して対称位置、即ち、対角方向位置に設置されている。
【００１７】
緩衝器１９，１９の頂部には、Ｚ曲げ金具２１，２１がボルト２２，２２により取り付けられており、このＺ曲げ金具２１，２１間に中空角パイプからなる渡し梁２３が設けられている。Ｚ曲げ金具２１には、図３に示すように第１の刃部である上刃２１ａと、第２の刃部である下刃２１ｂが形成され、緩衝器１９の頂部に上刃２１ａが下刃２１ｂを下方としてボルト２２により取り付けられている。そして下刃２１ｂは渡し梁２３の中空孔２３ｈに挿入されるように構成されている。なお、Ｚ曲げ金具２１，２１と渡し梁２３は、かご２の異常下降時にかご２と衝突する衝突部材２４を構成している。
【００１８】
即ち、渡し梁２３はＺ曲げ金具２１，２１間を挿脱可能に繋いでおり、図４に示すように、かご２が異常下降した時に、かご下梁５の下面に取り付けられた緩衝器当て板９，９を渡し梁２３に当て、間接的にかご２の緩衝力を緩衝器１９，１９で受けように構成されている。なお、渡し梁２３の上部表面には、かご下梁５の下面に取り付けられた緩衝器当て板９，９と対向する位置に緩衡ゴム２５，２５が取り付けられており、緩衝器当て板９，９が渡し梁２３に衝突する時のかご２への緩衝効果を高めている。また、図２中の符号Ａはランバイ寸法、符号Ｂは緩衝器ストローク、符号Ｃはピット寸法を示している。
【００１９】
この発明の実施の形態１に係るエレベータ装置は、前記のように緩衡器１９，１９をかご２の外側へ配置すると共に、かご２の奥行き方向の中心にあるかごレール１２，１２とかご枠柱６，６を避けるため、及び緩衝器１９，１９の動作時にかご２に偏荷重が作用しないように、水平投影面におけるかご２の重心位置に対して対称位置、即ち、対角方向位置に設置したものである。
【００２０】
また、緩衝器１９，１９にはＺ曲げ金具２１，１２を取り付け、Ｚ曲げ金具２１，１２間を渡し梁２３で挿脱可能に繋いで衝突部材２４を構成し、かご２の緩衝器当て板９，９を衝突部材２４に当てるようにして間接的にかご２の緩衝力を緩衝器１９，１９で受ける構成としたものである。
【００２１】
前記の構成によって、緩衡器１９，１９はかご２の水平投影面から外れ、かご２の異常下降時においても、かご２と干渉することがなくなり、その結果、昇降路のピットを浅くすることができる。
【００２２】
また、衝突部材２４を構成する渡し梁２３は、中空角パイプで構成されているので軽量で持ち運び性も良く、しかも緩衝器１９，１９に取り付けられたＺ曲げ金具２１，２１の下刃２１ｂ，２１ｂとは挿脱可能に繋がれているので、緩衡器１９，１９間の距離の不揃いも調整不要で簡単に据付られるので、作業効率の向上を図ることができる。
【００２３】
更に、Ｚ曲げ金具２１，２１を緩衝器１９，１９に取り付け、Ｚ曲げ金具２１，２１の下刃２１ｂ，２１ｂ間を渡し梁２３で挿脱可能に繋ぐ構成であり、従来のように、緩衝器を動作させる衝突板をかご枠柱の外側面に取り付ける構成に比べ、衝突部材やかご枠柱部材の強化費用を低減させることが可能となる効果もある。
【００２４】
実施の形態２．
次に、この発明の実施の形態２について説明する。図５は実施の形態２に係るエレベータ装置の平面図、図６は図５のピット部分の正面図である。これらの図に示すように、実施の形態２に係るエレベータ装置は、かご床４の下部に設けられたかご下梁５０の下面中央部に緩衝器当て板５１を取り付け、渡し梁５２の緩衝器当て板５１との対向面に、緩衡ゴム５３を取り付けている。なお、その他の構成については、実施の形態１と同様であるので、同一符号を付すことにより説明を省略する。
【００２５】
即ち、実施の形態１は、かご下梁５の下面に２個の緩衝器当て板９，９を取り付け、渡し梁２３の緩衝器当て板９，９との対向面に２個の緩衡ゴム２５，２５を取り付けた実施の形態であるが、実施の形態２は、かご下梁５０の下面に１個の緩衝器当て板５１を取り付け、渡し梁５２の緩衝器当て板５１との対向面に１個の緩衡ゴム５３を取り付けた実施の形態である。この実施の形態２は、比較的かご２の間口が小さく、容量も小さいエレベータ装置に適しており、実施の形態１と同様の効果を得ることができる。
【００２６】
実施の形態３．
次に、この発明の実施の形態３について説明する。図７は実施の形態３に係るエレベータ装置のピット部分の正面図、図８は図７の緩衡器とＺ曲げ金具、及び渡し梁の斜視図である。
【００２７】
これらの図において、渡し梁７０の両端部には端部に行くに従って断面積が小さくなるテーパー部７０ｔ，７０ｔが形成されている。このテーパー部７０ｔ，７０ｔには中空孔７０ｈ，７０ｈが形成されており、Ｚ曲げ金具２１，２１の下刃２１ｂ，２１ｂが挿脱可能に差し込まれている。なお、その他の構成については、実施の形態１と同様であるので、同一符号を付すことにより説明を省略する。
【００２８】
実施の形態３に係るエレベータ装置は前記のように構成されており、次に、渡し梁７０と曲げモーメントの関係について説明する。図９は渡し梁と曲げモーメント図の関係を示す図である。図９において、符号９０はモーメント図、符号９１は作用力、符号９２は反力を示しており、その他については図７あるいは図８と同一部分であり、同一符号を付している。
【００２９】
本実施の形態では、実施の形態１よりもかご２の間口が大きくしかも容量も大きなエレベータ装置に対応できるように、渡し梁７０の形状を緩衡ゴム２５，２５より端部に行くに従い部材の断面高さを低くテーパー状に構成している。
【００３０】
これは緩衝器１９，１９の動作時に、渡し梁７０に掛かる力のモーメント線図に合わせて断面形状を変化させたもので、作用力に対し無駄のない渡し梁７０の形状としたものである。これにより渡し梁７０の軽量化と強度アップが図れる効果がある。
【００３１】
実施の形態４．
次に、この発明の実施の形態４について説明する。図１０は実施の形態４に係るエレベータ装置のピット部分の正面図、図１１は図１０の緩衡器とＺ曲げ金具、及び渡し梁の斜視図である。これらの図において、渡し梁１００には中央部からそれぞれ両端部に行くに従って断面積が小さくなるテーパー部１００ｔ，１００ｔが形成されている。このテーパー部１００ｔ，１００ｔには中空孔１００ｈ，１００ｈが形成されており、Ｚ曲げ金具２１，２１の下刃２１ｂ，２１ｂが挿脱可能に差し込まれている。なお、その他の構成については、実施の形態２と同様であるので、同一符号を付すことにより説明を省略する。
【００３２】
実施の形態４に係るエレベータ装置は前記のように構成されており、次に、渡し梁１００と曲げモーメントの関係について説明する。図１２は渡し梁と曲げモーメント図の関係を示す図である。図１２において、符号１１０はモーメント図、符号１１１は作用力、符号１１２は反力を示しており、その他については図１０あるいは図１１と同一部分であり、同一符号を付している。
【００３３】
本実施の形態は、実施の形態２で説明したエレベータ装置のように、かご２の間口が小さくしかも容量も小さいエレベータ装置に対応できるように、渡し梁７０の形状を中央部から両端部に行くに従い部材の断面高さを低くテーパー状に構成し、かご下梁５０の下面中央部に取り付けた緩衝器当て板５１と対向する１個の緩衡ゴム５３を取り付けた実施の形態ある。即ち、緩衝器１９，１９の動作時に、渡し梁１００に掛かる力のモーメント線図に合わせて断面形状を変化させることにより、作用力に対し無駄のない渡し梁１００の形状としたものである。これにより渡し梁１００の軽量化と強度アップが図れる効果がある。
【産業上の利用可能性】
【００３４】
この発明は、機械室レスエレベータ装置などに利用でき、昇降路のピットを浅くできるエレベータ装置として有効である。
【図面の簡単な説明】
【００３５】
【図１】実施の形態１に係るエレベータ装置の平面図である。
【図２】図１に示すエレベータ装置のピット部分の正面図である。
【図３】実施の形態１に係るエレベータ装置に適用される緩衡器、及びかごの異常下降時にかごと衝突する衝突部材を示す斜視図である。
【図４】かごの異常下降時にかごと衝突部材が衝突し、かごの底面と衝突部材との距離と緩衡器のストローク分をかごが降下した状態のピット部分の正面図である。
【図５】実施の形態２に係るエレベータ装置の平面図である。
【図６】図５のピット部分の正面図である。
【図７】実施の形態３に係るエレベータ装置のピット部分の正面図である。
【図８】図７の緩衡器とＺ曲げ金具並びに渡し梁の斜視図である。
【図９】実施の形態３に係るエレベータ装置の渡し梁と曲げモーメント図の関係を示す図である。
【図１０】実施の形態４に係るエレベータ装置のピット部分の正面図である。
【図１１】図１０の緩衡器とＺ曲げ金具並びに渡し梁の斜視図である。
【図１２】実施の形態４に係るエレベータ装置の渡し梁と曲げモーメント図の関係を示す図である。
【符号の説明】
【００３６】
１  昇降路
２  かご
３  かご上梁
４  かご床
５、５０  かご下梁
６  かご枠柱
７  かごの戸
８  ガイドシュー
９、５１  緩衝器当て板
１０、１１、１６  レールブラケット
１２  かごレール
１３  レール取り付け台
１４  壁面
１５  釣合おもり
１７  釣合おもリレール
１８  緩衝器台板
１９、２０  緩衝器
２１  Ｚ曲げ金具
２１ａ  上刃
２１ｂ  下刃
２２  ボルト
２３、５２、７０、１００  渡し梁
２３ｈ、７０ｈ、１００ｈ  中空孔
２４  衝突部材
２５、５３  緩衡ゴム
７０ｔ、１００ｔ  テーパー部
９０、１１０  モーメント図
９１、１１１  作用力
９２、１１２  反力
【図１】
2009184782.tif 000003
【図２】
2009184782.tif 000004
【図３】
2009184782.tif 000005
【図４】
2009184782.tif 000006
【図５】
2009184782.tif 000007
【図６】
2009184782.tif 000008
【図７】
2009184782.tif 000009
【図８】
2009184782.tif 000010
【図９】
2009184782.tif 000011
【図１０】
2009184782.tif 000012
【図１１】
2009184782.tif 000013
【図１２】
2009184782.tif 000014